【手続補正書】
【提出日】平成17年11月9日(2005.11.9)
【手続補正１】
【補正対象書類名】明細書
【補正対象項目名】特許請求の範囲
【補正方法】変更
【補正の内容】
【特許請求の範囲】
【請求項１】  互いに情報を送受する通信インタフェースをそれぞれ備えるプリンタとホストコンピュータとが通信可能に接続される印刷システムの制御方法であって、
前記プリンタに備える操作パネルに配置される第１の所定ボタンの指示毎に、前記プリンタから前記ホストコンピュータに通知される割り込みイベントを検知する第１の検知ステップと、
前記第１の検知ステップにより検知される割り込みイベントに応じて、前記プリンタから読み出し可能な外部メモリから読み出される画像データを前記ホストコンピュータの管理する記憶部内に保存制御する保存ステップと、
前記プリンタに備える操作パネルに配置される第２の所定ボタンの指示毎に、前記プリンタから前記ホストコンピュータに通知される割り込みイベントを検知する第２の検知ステップと、
前記第２の検知ステップにより検知される割り込みイベントに応じて、前記記憶部内に保存されている画像データを印刷のためにプリンタに転送制御する印刷ステップと、
を有することを特徴とする印刷システムの制御方法。
【請求項２】  前記印刷ステップは、さらに前記第2の検知ステップで検知した割り込みイベントに応じて、前記記憶部内に保存されている画像データを読み出してプリントデータを生成する生成ステップを有することを特徴とする請求項1に記載の制御方法。
【請求項３】  前記プリンタに備える操作パネルに配置される第３の所定ボタンの指示毎に、前記プリンタから前記ホストコンピュータに通知される割り込みイベントを検知する第３の検知ステップと、
前記第３の検知ステップにより検知される割り込みイベントに応じて、前記記憶部内に保存されている画像データを削除する削除ステップを有することを特徴とする請求項１ないし２のいずれか1項に記載の制御方法。
【請求項４】  さらに前記削除ステップによる削除に応じて、前記記憶部内に保存されていた画像データに対する削除制御に関する情報を前記プリンタに通知する削除通知ステップを有することを特徴とする請求項１ないし３のいずれか１項に記載の制御方法。
【請求項５】  さらに前記保存ステップによる保存制御に応じて、前記記憶部内に保存された画像データに関する保存情報を前記プリンタに通知する通知ステップを有することを特徴とする請求項１ないし４のいずれか１項に記載の制御方法。
【請求項６】  請求項１ないし５のいずれかに１項に記載された制御方法を、コンピュータに読み込まれて実行することが可能なプログラム。
【請求項７】  請求項１ないし５のいずれかに１項に記載された制御方法を、コンピュータに読み込まれて実行することが可能なプログラムをコンピュータが読み取り可能に記憶した記憶媒体。
【請求項８】  画像記憶媒体から画像を読み出し可能なプリンタと通信する画像処理装置の制御方法であって、
前記プリンタに備える操作パネルに配置される第１の所定ボタンの指示毎に、前記プリンタから前記ホストコンピュータに通知される割り込みイベントを検知する第１の検知ステップと、
前記第１の検知ステップにより検知される割り込みイベントに応じて、前記プリンタから読み出し可能な外部メモリから読み出される画像データを前記ホストコンピュータの管理する記憶部内に保存制御する保存ステップと、
前記プリンタに備える操作パネルに配置される第２の所定ボタンの指示毎に、前記プリンタから前記ホストコンピュータに通知される割り込みイベントを検知する第２の検知ステップと、
前記第２の検知ステップにより検知される割り込みイベントに応じて、前記記憶部内に保存されている画像データを印刷のためにプリンタに転送制御する印刷ステップと、
を有することを特徴とする制御方法。
【請求項９】  画像記憶媒体から画像を読み出し可能なプリンタと通信する画像処理装置であって、
前記プリンタに備える操作パネルに配置される第１の所定ボタンの指示毎に、前記プリンタから前記ホストコンピュータに通知される割り込みイベントを検知する第１の検知手段と、
前記第１の検知部により検知される割り込みイベントに応じて、前記プリンタから読み出し可能な外部メモリから読み出される画像データを前記ホストコンピュータの管理する記憶部内に保存制御する保存制御手段と、
前記プリンタに備える操作パネルに配置される第２の所定ボタンの指示毎に、前記プリンタから前記ホストコンピュータに通知される割り込みイベントを検知する第２の検知手段と、
前記第２の検知手段により検知される割り込みイベントに応じて、前記記憶部内に保存されている画像データを印刷のためにプリンタに転送制御する印刷制御手段と、
を有することを特徴とする画像処理装置。
【請求項１０】  前記印刷手段は、さらに前記第２の検知手段で検知した割り込みイベントに応じて、前記記憶部内に保存されている画像データを読み出してプリントデータを生成する生成手段を有することを特徴とする請求項９に記載の画像処理装置。
【請求項１１】  前記プリンタに備える操作パネルに配置される第３の所定ボタンの指示毎に、前記プリンタから前記ホストコンピュータに通知される割り込みイベントを検知する第３の検知手段と、
前記第３の検知手段により検知される割り込みイベントに応じて、前記記憶部内に保存されている画像データを削除する削除手段を有することを特徴とする請求項９ないし１０のいずれか１項に記載の画像処理装置。
【請求項１２】  さらに前記削除手段による削除に応じて、前記記憶部内に保存されていた画像データに対する削除制御に関する情報を前記プリンタに通知する削除通知手段を有することを特徴とする請求項９ないし１１のいずれか１項に記載の画像処理装置。
【請求項１３】  さらに前記保存手段による保存制御に応じて、前記記憶部内に保存された画像データに関する保存情報を前記プリンタに通知する通知手段を有することを特徴とする請求項９ないし１２のいずれか１項に記載の画像処理装置。
【請求項１４】  コンピュータと通信する通信手段と、
画像データを記憶する記憶媒体から画像データを読み出す読み出し手段と、
前記読み出し手段で読み出された画像データを前記コンピュータが管理する記憶手段に保存させるための指示を受け付ける第１操作手段と、
前記第１操作手段への操作を受け付けたことに応じて、前記コンピュータに画像データの保存を指示するための割り込みイベントを通知する第１通知手段とを有することを特徴とするプリンタ。
【請求項１５】  さらに、前記コンピュータが前記記憶手段に管理する画像データを削除するための指示を受け付ける第２操作手段と、
前記第２操作手段への操作を受け付けたことに応じて、前記コンピュータに画像データの削除を指示するための割り込みイベントを通知する第２通知手段とを有することを特徴とする請求項１４に記載のプリンタ。
【請求項１６】  さらに、前記記憶手段に保存されている画像データを特定するための表示を行う表示部を有することを特徴とする請求項１４または１５に記載のプリンタ。
【請求項１７】  前記割り込みイベントの結果による画像データの保存、または画像データの削除に応じた保存情報を前記コンピュータより受信する受信手段を有し、
前記表示部は、前記受信手段により受信された保存情報に応じた表示を行うことを特徴とする請求項１６に記載のプリンタ。
【請求項１８】  さらに、前記コンピュータが前記記憶手段に管理する画像データをプリントするための指示を受け付ける第３操作手段と、
前記第３操作手段への操作を受け付けたことに応じて、前記コンピュータに画像データの削除を指示するための割り込みイベントを通知する第３通知手段と、
前記第３通知手段で通知したイベントの結果、前記コンピュータより送られてくる画像データに基づいてプリントを行うプリント手段とを有することを特徴とする請求項１４ないし１７のいずれか１項に記載のプリンタ。
【請求項１９】  コンピュータと通信する通信手段を有するプリンタの制御方法であって、
画像データを記憶する記憶媒体から画像データを読み出す読み出し工程と、
前記読み出し工程で読み出された画像データを前記コンピュータが管理する記憶手段に保存させるための指示を受け付ける第１操作工程と、
前記第１操作工程への操作を受け付けたことに応じて、前記コンピュータに画像データの保存を指示するための割り込みイベントを通知する第１通知工程と、
を有することを特徴とするプリンタの制御方法。
【請求項２０】  さらに、前記コンピュータが前記記憶手段に管理する画像データを削除するための指示を受け付ける第２操作工程と、
前記第２操作工程への操作を受け付けたことに応じて、前記コンピュータに画像データの削除を指示するための割り込みイベントを通知する第２通知工程とを有することを特徴とする請求項１９に記載の制御方法。
【請求項２１】  さらに、前記コンピュータが前記記憶手段に管理する画像データをプリントするための指示を受け付ける第３操作工程と、
前記第３操作工程への操作を受け付けたことに応じて、前記コンピュータに画像データの削除を指示するための割り込みイベントを通知する第３通知工程と、
前記第３通知工程で通知したイベントの結果、前記コンピュータより送られてくる画像データに基づいてプリントを行うプリント工程とを有することを特徴とする請求項１９ないし２０のいずれか１項に記載の制御方法。
【手続補正２】
【補正対象書類名】明細書
【補正対象項目名】０００７
【補正方法】変更
【補正の内容】
【０００７】
【課題を解決するための手段】
本発明の印刷システムの制御方法は、互いに情報をリアルタイムに送受する通信インタフェースをそれぞれ備えるプリンタとホストコンピュータとが通信可能に接続される印刷システムの制御方法であって、前記プリンタに備える操作パネルに配置される保存ボタンの指示毎に、前記プリンタから前記ホストコンピュータに通知される割り込みイベントを検知する第１の検知ステップと、前記第１の検知ステップにより検知される割り込みイベントに応じて、前記プリンタから読み出し可能な外部メモリから読み出される画像データを前記ホストコンピュータの記憶部内に保存制御する保存ステップと、前記プリンタに備える操作パネルに配置される印刷開始ボタンの指示毎に、前記プリンタから前記ホストコンピュータに通知される割り込みイベントを検知する第２の検知ステップと、前記第２の検知ステップにより検知される割り込みイベントに応じて、前記外部メモリから読み出される画像データ，前記記憶部内に保存した画像データを印刷制御する印刷ステップとを有することを特徴とする。
また、本発明の画像処理装置の制御方法は、画像記憶媒体から画像を読み出し可能なプリンタと通信する画像処理装置の制御方法であって、前記プリンタに備える操作パネルに配置される第１の所定ボタンの指示毎に、前記プリンタから前記ホストコンピュータに通知される割り込みイベントを検知する第１の検知ステップと、前記第１の検知ステップにより検知される割り込みイベントに応じて、前記プリンタから読み出し可能な外部メモリから読み出される画像データを前記ホストコンピュータの管理する記憶部内に保存制御する保存ステップと、前記プリンタに備える操作パネルに配置される第２の所定ボタンの指示毎に、前記プリンタから前記ホストコンピュータに通知される割り込みイベントを検知する第２の検知ステップと、前記第２の検知ステップにより検知される割り込みイベントに応じて、前記記憶部内に保存されている画像データを印刷のためにプリンタに転送制御する印刷ステップとを有することを特徴とする。
さらに、本発明の画像処理装置は、画像記憶媒体から画像を読み出し可能なプリンタと通信する画像処理装置であって、前記プリンタに備える操作パネルに配置される第１の所定ボタンの指示毎に、前記プリンタから前記ホストコンピュータに通知される割り込みイベントを検知する第１の検知手段と、前記第１の検知部により検知される割り込みイベントに応じて、前記プリンタから読み出し可能な外部メモリから読み出される画像データを前記ホストコンピュータの管理する記憶部内に保存制御する保存制御手段と、前記プリンタに備える操作パネルに配置される第２の所定ボタンの指示毎に、前記プリンタから前記ホストコンピュータに通知される割り込みイベントを検知する第２の検知手段と、前記第２の検知手段により検知される割り込みイベントに応じて、前記記憶部内に保存されている画像データを印刷のためにプリンタに転送制御する印刷制御手段とを有することを特徴とする。
また、本発明のプリンタは、コンピュータと通信する通信手段と、画像データを記憶する記憶媒体から画像データを読み出す読み出し手段と、前記読み出し手段で読み出された画像データを前記コンピュータが管理する記憶手段に保存させるための指示を受け付ける第１操作手段と、前記第１操作手段への操作を受け付けたことに応じて、前記コンピュータに画像データの保存を指示するための割り込みイベントを通知する第１通知手段とを有することを特徴とする。
さらに、本発明のプリンタの制御方法は、コンピュータと通信する通信手段を有するプリンタの制御方法であって、画像データを記憶する記憶媒体から画像データを読み出す読み出し工程と、前記読み出し工程で読み出された画像データを前記コンピュータが管理する記憶手段に保存させるための指示を受け付ける第１操作工程と、前記第１操作工程への操作を受け付けたことに応じて、前記コンピュータに画像データの保存を指示するための割り込みイベントを通知する第１通知工程とを有することを特徴とする。
【手続補正３】
【補正対象書類名】明細書
【補正対象項目名】０１０９
【補正方法】変更
【補正の内容】
【０１０９】
【発明の効果】
以上説明したように、本発明の印刷システムによれば、プリンタに備える操作パネルに配置される第１の所定ボタンの指示毎に、前記プリンタから前記ホストコンピュータに通知される割り込みイベントをホストコンピュータ側で検知し、該検知される割り込みイベントに応じて、前記プリンタから読み出し可能な外部メモリから読み出される画像データを前記ホストコンピュータの記憶部内に保存制御し、前記プリンタに備える操作パネルに配置される第２の所定ボタンの指示毎に、前記プリンタから前記ホストコンピュータに通知される割り込みイベントを検知し、該検知される割り込みイベントに応じて、前記外部メモリから読み出される画像データ，前記記憶部内に保存した画像データを印刷制御することにより、プリンタの操作によりホストコンピュータ上へ保存した画像データを、プリンタの操作パネルから選択、印刷することを可能とし、またプリンタのカードスロットに挿入された記録メディアとホストコンピュータ上の画像データを同時に選択可能にし、同一レイアウト上に配した印刷処理を実現し、これにより過去にホストコンピュータ上へ保存した画像データをいつでもプリンタの操作パネルの操作で容易に印刷することができる等の効果を奏する。